(57)【要約】【課題】見守り対象となるユーザへのメッセージを作成する際のオペレータの手間を削減しながらも柔軟にメッセージの内容を変更すること。【解決手段】見守りシステムは、見守り対象であるユーザへメッセージを出力する出力手段を有するユーザ端末及び当該ユーザ端末と通信可能に接続されたセンタ装置を有する。上記センタ装置は、記憶手段、入力手段、部分変更手段及び送信手段を有する。上記記憶手段は、分類情報が付与された可変語句領域を含むメッセージ雛型及び上記分類情報ごとにそれぞれ複数の語句を有する複数の語句群を記憶する。上記入力手段は、上記複数の語句群から上記メッセージの作成に用いる語句群を選択するオペレータの操作入力を受け付ける。上記部分変更手段は、上記メッセージ雛型のうち少なくとも上記可変語句領域を当該可変語句領域の分類情報に対応して選択された語句群に含まれるいずれかの語句に変更して上記メッセージを作成する。上記送信手段は、上記作成されたメッセージを上記ユーザ端末に送信する。【選択図】図４
2020135799.tif 000002
【特許請求の範囲】
【請求項１】
見守り対象であるユーザへメッセージを出力する出力手段を有するユーザ端末及び当該ユーザ端末と通信可能に接続されたセンタ装置を具備する見守りシステムであって、
前記センタ装置は、
分類情報が付与された可変語句領域を含むメッセージ雛型及び前記分類情報ごとにそれぞれ複数の語句を有する複数の語句群を記憶する記憶手段、
前記複数の語句群から前記メッセージの作成に用いる語句群を選択するオペレータの操作入力を受け付ける入力手段、
前記メッセージ雛型のうち少なくとも前記可変語句領域を当該可変語句領域の分類情報に対応して選択された語句群に含まれるいずれかの語句に変更して前記メッセージを作成する部分変更手段、及び
前記作成されたメッセージを前記ユーザ端末に送信する送信手段
を有する見守りシステム。
【請求項２】
前記部分変更手段は、前記可変語句領域を前記選択された語句群から無作為に選択した語句に変更する
請求項１に記載の見守りシステム。
【請求項３】
見守り対象であるユーザへ季節の挨拶を含むメッセージを出力する出力手段を有するユーザ端末及び当該ユーザ端末と通信可能に接続されたセンタ装置を具備する見守りシステムであって、
前記センタ装置は、
季節情報が付与された挨拶語句領域を含み前記ユーザへの挨拶時刻が対応付けられたメッセージ雛型及び前記季節情報ごとにそれぞれ季節の挨拶に関する複数の挨拶語句からなる複数の挨拶語句群を記憶する記憶手段、
前記複数の挨拶語句群から前記メッセージの作成に用いる挨拶語句群を選択するオペレータの操作入力を受け付ける入力手段、
前記メッセージ雛型のうち少なくとも前記挨拶語句領域を当該挨拶語句領域の季節情報に対応して選択された挨拶語句群に含まれるいずれかの挨拶語句に変更して前記メッセージを作成する部分変更手段、及び
前記作成されたメッセージを前記挨拶時刻に前記ユーザ端末に送信する送信手段
を有する見守りシステム。
【請求項４】
前記部分変更手段は、前記挨拶語句領域を前記選択された挨拶語句群から無作為に選択した挨拶語句に変更する
請求項３に記載の見守りシステム。
【請求項５】
分類情報が付与された可変語句領域を含むメッセージ雛型及び前記分類情報ごとにそれぞれ複数の語句を有する複数の語句群を記憶し、
前記複数の語句群から、見守り対象であるユーザへのメッセージの作成に用いる語句群を選択するオペレータの操作入力を受け付け、
前記メッセージ雛型のうち少なくとも前記可変語句領域を当該可変語句領域の分類情報に対応して選択された語句群に含まれるいずれかの語句に変更して前記メッセージを作成し、
前記作成されたメッセージをユーザ端末に送信し、
前記ユーザ端末から前記ユーザへメッセージを出力する
見守り方法。
【請求項６】
見守り対象であるユーザへメッセージを出力する出力手段を有するユーザ端末と通信可能に接続されたセンタ装置に、
分類情報が付与された可変語句領域を含むメッセージ雛型及び前記分類情報ごとにそれぞれ複数の語句を有する複数の語句群を記憶するステップと、
前記複数の語句群から、前記ユーザへのメッセージの作成に用いる語句群を選択するオペレータの操作入力を受け付けるステップと、
前記メッセージ雛型のうち少なくとも前記可変語句領域を当該可変語句領域の分類情報に対応して選択された語句群に含まれるいずれかの語句に変更して前記メッセージを作成するステップと、
前記作成されたメッセージをユーザ端末に送信するステップと
を実行させるプログラム。
【発明の詳細な説明】
【技術分野】
【０００１】
本発明は、センタのオペレータから見守り対象のユーザに対してメッセージを通知するための見守りシステム、見守り方法及びプログラムに関する。
【背景技術】
【０００２】
近年、特に独居の高齢者宅に音声の入出力機能を持つ機器（例えば対話型ロボット）を設置して、当該機器を介して音声の受け答えをすることで「つながり感」や「見守られ感」を醸成する対話システムが提案されている。
【０００３】
そのシステムでは、例えば起床時間が大よそ決まっているユーザについて、起床時間から少し時間を置いて「おはようございます。」といった挨拶文を機器に発話させることで、上記「つながり感」や「見守られ感」が醸成可能となる。
【０００４】
このような技術に関連して、特許文献１には、安否確認システムの一部として既定のスケジュール情報に従ってユーザ（主に独居老人）に対して所定のメッセージを送信する技術が開示されている。
【先行技術文献】
【特許文献】
【０００５】
【特許文献１】特開２０１０−１４１４４５号公報
【発明の概要】
【発明が解決しようとする課題】
【０００６】
しかしながら、上記特許文献１の技術では、メッセージの内容が定型的であるが故に、それを毎日受け取るユーザに機械的な印象を与え、「つながり感」や「見守られ感」を醸成しにくくなってしまう。
【０００７】
一方で、各ユーザへの送信ごとに新たなメッセージを作成するのはオペレータにとって大きな手間となる。
【０００８】
以上のような事情に鑑み、本発明の目的は、見守り対象となるユーザへのメッセージを作成する際のオペレータの手間を削減しながらも柔軟にメッセージの内容を変更することが可能な見守りシステム、見守り方法及びプログラムを提供することにある。
【課題を解決するための手段】
【０００９】
上記目的を達成するため、本発明の一形態に係る見守りシステムは、見守り対象であるユーザへメッセージを出力する出力手段を有するユーザ端末及び当該ユーザ端末と通信可能に接続されたセンタ装置を有する。
上記センタ装置は、記憶手段、入力手段、部分変更手段及び送信手段を有する。上記記憶手段は、分類情報が付与された可変語句領域を含むメッセージ雛型及び上記分類情報ごとにそれぞれ複数の語句を有する複数の語句群を記憶する。上記入力手段は、上記複数の語句群から上記メッセージの作成に用いる語句群を選択するオペレータの操作入力を受け付ける。上記部分変更手段は、上記メッセージ雛型のうち少なくとも上記可変語句領域を当該可変語句領域の分類情報に対応して選択された語句群に含まれるいずれかの語句に変更して上記メッセージを作成する。上記送信手段は、上記作成されたメッセージを上記ユーザ端末に送信する。
【００１０】
上記見守りシステムにおいて、上記部分変更手段は、上記可変語句領域を上記選択された語句群から無作為に選択した語句に変更してもよい。
【００１１】
これによりオペレータは語句を選ぶ必要もなくなることからオペレータの手間をさらに削減することができる。
【００１２】
本発明の他の形態に係る見守りシステムは、見守り対象であるユーザへ季節の挨拶を含むメッセージを音声にて出力する出力手段を有するユーザ端末及び当該ユーザ端末と通信可能に接続されたセンタ装置を有する。
上記センタ装置は、記憶手段、入力手段、部分変更手段及び送信手段を有する。上記記憶手段は、季節情報が付与された挨拶語句領域を含み上記ユーザへの挨拶時刻が対応付けられたメッセージ雛型及び上記季節情報ごとにそれぞれ季節の挨拶に関する複数の挨拶語句からなる複数の挨拶語句群を記憶する。上記入力手段は、上記複数の挨拶語句群から上記メッセージの作成に用いる挨拶語句群を選択するオペレータの操作入力を受け付ける。上記部分変更手段は、上記メッセージ雛型のうち少なくとも上記挨拶語句領域を当該挨拶語句領域の季節情報に対応して選択された挨拶語句群に含まれるいずれかの挨拶語句に変更して上記メッセージを作成する。上記送信手段は、上記作成されたメッセージを上記挨拶時刻に上記ユーザ端末に送信する。
【００１３】
上記部分変更手段は、上記挨拶語句領域を上記選択された挨拶語句群から無作為に選択した挨拶語句に変更してもよい。
【００１４】
本発明の他の形態に係るメッセージ作成方法は、
分類情報が付与された可変語句領域を含むメッセージ雛型及び上記分類情報ごとにそれぞれ複数の語句を有する複数の語句群を記憶し、
上記複数の語句群から、見守り対象であるユーザへのメッセージの作成に用いる語句群を選択するオペレータの操作入力を受け付け、
上記メッセージ雛型のうち少なくとも上記語句領域を当該可変語句領域の分類情報に対応して選択された語句群に含まれるいずれかの語句に変更して上記メッセージを作成し、
上記作成されたメッセージを上記ユーザ端末に送信し、
上記ユーザ端末から上記ユーザへメッセージを出力する、ことを含む。
【００１５】
本発明の他の形態に係るプログラムは、見守り対象であるユーザへメッセージを出力する出力手段を有するユーザ端末と通信可能に接続されたセンタ装置に、
分類情報が付与された可変語句領域を含むメッセージ雛型及び上記分類情報ごとにそれぞれ複数の語句を有する複数の語句群を記憶するステップと、
上記複数の語句群から、見守り対象となるユーザへのメッセージの作成に用いる語句群を選択するオペレータの操作入力を受け付けるステップと、
上記メッセージ雛型のうち少なくとも上記可変語句領域を当該可変語句領域の分類情報に対応して選択された語句群に含まれるいずれかの語句に変更して上記メッセージを作成するステップと、
上記作成されたメッセージを上記ユーザ端末に送信するステップと、を実行させる。
【発明の効果】
【００１６】
以上説明したように、本発明によれば、見守り対象となるユーザへのメッセージを作成する際のオペレータの手間を削減しながらも柔軟にメッセージの内容を変更することができる。しかし、当該効果は本発明を限定するものではない。
【図面の簡単な説明】
【００１７】
【図１】本発明の一実施形態に係る見守りシステムの構成を示した図である。
【図２】上記見守りシステムが有するサーバ装置のハードウェア構成を示した図である。
【図３】上記サーバ装置が記憶するスケジュール情報の例を示した図である。
【図４】上記サーバ装置が記憶する語句群の例を示した図である。
【図５】上記サーバ装置によるメッセージ中の語句群設定処理の流れを示したフローチャートである。
【図６】上記サーバ装置が表示する語句群設定画面の例を示した図である。
【図７】上記サーバ装置が表示する語句群設定画面の例を示した図である。
【図８】上記サーバ装置が表示する語句群設定画面の例を示した図である。
【図９】上記サーバ装置が表示する語句群設定画面の例を示した図である。
【図１０】上記サーバ装置によるメッセージ作成処理の流れを示したフローチャートである。
【発明を実施するための形態】
【００１８】
以下、図面を参照しながら、本発明の実施形態を説明する。
【００１９】
［システムの構成］
図１は、本実施形態に係る見守りシステムの構成を示した図である。
【００２０】
同図に示すように、見守りシステムは、管理センタに設置されたサーバ装置１００を含むセンタ装置と、当該サーバ装置１００と通信可能にネットワーク接続されたユーザ端末２００とで構成される。
【００２１】
ユーザ端末２００は、本システムにおいて見守り対象であるユーザ（例えば高齢者等）宅に設置され、少なくとも、ネットワークを通じてサーバ装置１００から送信されユーザに通知されるメッセージを受信する手段、そのメッセージをユーザに通知する出力手段を有する。
【００２２】
出力手段は、ユーザにつながり感を醸成すること、及び高齢者は複雑な機械操作は難しいことを考慮して、音声を出力する装置としてのスピーカＳが好適である。あるいは加齢により聴力が低下したユーザ向けには目視でメッセージを認識してもらうべく、液晶パネルを用いた表示装置でも良い。
【００２３】
ユーザ端末２００は、少なくとも上記の構成要素を有していればよいが、ユーザにとって人とのやり取りを想起でき、親しみを持てるような外見として小型の人形を模した対話ロボットであってもよい。
【００２４】
またメッセージをユーザに音声で伝える場合に、発話に合わせて適宜ユーザ端末２００を振動させたり、内蔵した発光手段（ＬＥＤなど）により目や口を明るく表示したりしてもよい。
【００２５】
ユーザ端末２００は、サーバ装置１００から送信されてきたメッセージをユーザに聴覚または視覚により伝える機能を有するものとするが、逆にユーザがユーザ端末２００に対して話しかけた音声をマイクＭで集音して音声認識技術により文字列化してサーバ装置１００に送信する機能を有していても良い。
【００２６】
サーバ装置１００は、管理センタに常駐しユーザとメッセージのやり取りをするオペレータによって使用される装置であり、見守り対象であるユーザへのメッセージを作成するメッセージ作成装置として機能する。
【００２７】
サーバ装置１００は、少なくともフラグ設定手段１１０、部分変更手段１２０、及び送信手段１３０を有する。またそれら手段を制御する制御手段を有する。詳細は後述するが、これらは適宜周知なハードウェアや記憶手段に記憶されているソフトウェアにより実現されている。
【００２８】
またサーバ装置１００には、記憶手段１４０が接続される。記憶手段１４０には、ユーザへのメッセージの通知スケジュールを示すスケジュール情報Ｓ、可変語句領域を有するメッセージ雛型Ｍ及び当該可変語句領域に挿入され得る複数の語句を有する複数の語句群Ｗが記憶されている。またサーバ装置１００には、例えばキーボードやマウス、その他のポインティングデバイス、またはタッチパネル等によりオペレータの入力を受け付ける入力手段１５０も接続されており、これらサーバ装置１００、記憶手段１４０及び入力手段１５０によりセンタ装置が構成されている。
【００２９】
フラグ設定手段１１０は、各語句群Ｗについて、それをメッセージの作成に用いるか否かを示すフラグを設定する。
【００３０】
部分変更手段１２０は、上記メッセージ雛型Ｍの可変語句領域を、上記フラグによって設定された語句群Ｗから選択された語句に変更してメッセージを作成する。
【００３１】
送信手段１３０は、上記スケジュール情報Ｓに従ってメッセージをユーザ端末２００に送信する。
【００３２】
入力手段１５０は、複数の語句群Ｗからユーザへのメッセージの作成に用いる語句群Ｗを選択するオペレータの操作入力を受け付ける。
【００３３】
［サーバ装置のハードウェア構成］
図２は、上記サーバ装置１００のハードウェア構成を示した図である。同図に示すように、サーバ装置１００は、ＣＰＵ（Central Processing Unit）１１、ＲＯＭ（Read Only Memory）１２、ＲＡＭ（Random Access Memory）１３、入出力インタフェース１５、及び、これらを互いに接続するバス１４を備える。
【００３４】
ＣＰＵ１１は、必要に応じてＲＡＭ１３等に適宜アクセスし、各種演算処理を行いながらサーバ装置１００の各ブロック全体を統括的に制御する。ＲＯＭ１２は、ＣＰＵ１１に実行させるＯＳ、プログラムや各種パラメータなどのファームウェアが固定的に記憶されている不揮発性のメモリである。ＲＡＭ１３は、ＣＰＵ１１の作業用領域等として用いられ、ＯＳ、実行中の各種アプリケーション、処理中の各種データを一時的に保持する。
【００３５】
またＣＰＵ１１は、上記フラグ設定手段１１０及び部分変更手段１２０として機能する。
【００３６】
入出力インタフェース１５には、表示部１６、操作受付部１７、記憶部１８、通信部１９等が接続される。
【００３７】
表示部１６は、例えばＬＣＤ（Liquid Crystal Display）、ＯＥＬＤ（Organic ElectroLuminescence Display）、ＣＲＴ（Cathode Ray Tube）等を用いた表示デバイスである。
【００３８】
操作受付部１７は、例えばマウス等のポインティングデバイス、キーボード、タッチパネル、その他の入力装置である。操作受付部１７は、上記入力手段１５０として機能する。
【００３９】
記憶部１８は、例えばＨＤＤ（Hard Disk Drive）や、フラッシュメモリ（ＳＳＤ；Solid State Drive）、その他の固体メモリ等の不揮発性メモリである。当該記憶部１８には、上記ＯＳのほか、スケジュール情報や、各種フラグ類、パラメータ類、サーバ装置１００の各手段を実現するソフトウェア類が記憶される。記憶部１８は、上記記憶手段１４０として機能する。
【００４０】
また本実施形態において、記憶部１８は、上述のように、スケジュール情報Ｓや語句群Ｗ等のデータや、メッセージ生成を含むユーザ端末２００との対話のためのアプリケーションその他のプログラム及びデータベースを記憶している。
【００４１】
通信部１９は、例えばEthernet（登録商標）用のＮＩＣ（Network Interface Card）や無線ＬＡＮ等の無線通信用の各種モジュールであり、上記ユーザ端末２００との間の通信処理を担う。通信部１９は、上記送信手段１３０として機能する。
【００４２】
ユーザ端末２００のハードウェア構成も基本的には上記サーバ装置１００のハードウェア構成と同様であるが、ユーザ端末２００は、上述のように前面にマイクＭ及びスピーカＳを有する。
【００４３】
［スケジュール情報］
次に、上記記憶手段１４０（記憶部１８）に記憶されたスケジュール情報Ｓの詳細について説明する。図３は、ユーザＡのスケジュール情報Ｓの例を示した図である。
【００４４】
同図（ａ）に示すように、スケジュール情報Ｓは、メッセージを通知予定のユーザのユーザ名、当該ユーザのユーザ端末２００の端末ＩＤ、メッセージの通知予定時刻、通知予定曜日、通知予定のメッセージの各項目のデータを有する。
【００４５】
同図（ａ）において、メッセージはそれを識別するメッセージ名（起床後通知、日中通知等）として示されている。メッセージには、日常の挨拶や時候の挨拶、特定の曜日のイベント（服薬等）や季節のイベント（正月等）、豆知識等に関するメッセージ等が含まれている。
【００４６】
スケジュール情報Ｓとして記憶されているメッセージは完成されたメッセージではなく上記メッセージ雛型Ｍである。メッセージ雛型Ｍの具体例として、起床後通知のメッセージ雛型Ｍを示したのが同図（ｂ）である。
【００４７】
同図（ｂ）に示すように、メッセージ雛型Ｍは、複数の可変語句領域Ｒを有する。当該可変語句領域Ｒのうち、「今日の日付」や「今日の曜日」は適宜サーバ装置１００の計時手段から取り込まれた日付や曜日に置換されるが、それら以外の可変語句領域Ｒにはそれらを分類するための分類情報（「ランダム＠朝の挨拶」、「ランダム＠季節の雑談」）が付与されており、当該分類情報に対応する語句群Ｗからランダムに選択されて置換される。
【００４８】
［語句群］
次に、上記記憶手段１４０（記憶部１８）に記憶された語句群Ｗの詳細について説明する。図４は、当該語句群Ｗの具体例を示した図である。
【００４９】
同図（ａ）は冬の通常メッセージ、同図（ｂ）は冬の例外メッセージ、同図（ｃ）は夏の通常メッセージの各語句群を示す。
【００５０】
各語句群Ｗには、それぞれ、「ランダム＠朝の挨拶」、「ランダム＠季節の雑談」の分類情報毎に複数の語句（挨拶文や通知文）が含まれる。同図の例では、朝の挨拶と季節の雑談とがひとまとまりの語句群に含まれているが、それらが分離して記憶されていてもよい。その場合、上記語句群名に応じて、冬の通常メッセージの朝の挨拶、冬の例外メッセージの季節の雑談、といったように分類情報が付与される。
【００５１】
［見守りシステムの動作］
次に、以上のように構成された見守りシステムの動作について説明する。当該動作は、サーバ装置１００のＣＰＵ１１や通信部１９等のハードウェアと、記憶部１８に記憶されたソフトウェアとの協働により実行される。下記の説明では、便宜上、サーバ装置１００のＣＰＵ１１を動作主体とする。
【００５２】
図５は、上記見守りシステムにおける語句群設定（選択）処理の流れを示したフローチャートである。また図６乃至図９は、上記語句群設定処理においてサーバ装置１００が表示する語句群設定画面の例を示した図である。
【００５３】
図６に示すように、語句群設定画面は、ユーザ名入力欄５１、語句群一覧表示ボタン５２、語句群一覧５３、語句群詳細表示ボタン５４、フラグ変更ボタン５５、設定終了ボタン５６及び取消ボタン５７を有する。
【００５４】
図５に示すように、まず、サーバ装置１００のＣＰＵ１１は、操作受付部１７により、上記ユーザ名入力欄５１から、メッセージ通知対象のユーザのユーザ名の入力を受け付け、語句群一覧表示ボタン５２の押下操作を受け付ける（ステップ１０１）。ユーザ名入力欄５１は、オペレータによる直接入力が可能な他、例えばプルダウンや別ウィンドウによりユーザ名一覧を表示した上でいずれかのユーザ名を選択させるものであってもよい。
【００５５】
続いてＣＰＵ１１は、上記入力されたユーザ名に対応する語句群Ｗを記憶手段１４０から読み出して図６に示すように語句群一覧５３を表示する（ステップ１０２）。
【００５６】
続いてＣＰＵ１１は、操作受付部１７により、語句群詳細表示ボタン５４の押下操作を受け付ける（ステップ１０３）。
【００５７】
当該語句群詳細表示ボタン５４の押下操作を受けて、ＣＰＵ１１は、図８に示すような語句群詳細表示画面を表示する（ステップ１０４）。当該語句群詳細表示画面は、ユーザ名表示欄６１、フラグ状態表示欄６２、フラグ変更ボタン６３、語句群名表示欄６４、可変語句領域選択ボックス６５、可変語句編集ボックス６６、設定終了ボタン６７及び取消ボタン６８を有する。
【００５８】
当該語句群詳細表示画面において、操作受付部１７を介して語句群Ｗの語句の編集入力を受け付けた場合には、ＣＰＵ１１は、当該入力に応じて語句群Ｗの語句を変更する（ステップ１０５）。
【００５９】
また当該語句群詳細表示画面において、操作受付部１７を介してフラグ変更ボタン６３が押下された場合には、ＣＰＵ１１は、フラグ状態表示欄６２に対応するフラグを他のフラグへ変更し、フラグ状態表示欄６２の表示を変更する（ステップ１０６）。
【００６０】
なお、上記図６の語句群設定画面において、上記語句群選択ボタン５４ではなく、語句群一覧５３上のいずれかの語句群欄が例えばマウスの右クリック操作等により選択された場合には、図７に示すようにポップアップメニュー５８が表示される。
【００６１】
当該ポップアップメニュー５８は、語句群詳細表示及びフラグ変更のメニューを有しており、それらの機能は上記語句群詳細表示ボタン５４及びフラグ変更ボタン５５と同一である。語句群Ｗの語句の編集を行うことなくフラグのみ変更する場合には当該ポップアップメニュー５８が用いられる。
【００６２】
そしてＣＰＵ１１は、設定終了ボタン６７の押下操作を受け付けると（ステップ１０７）、図９に示すように、語句群詳細表示画面を終了して語句群設定画面に遷移し、上記語句群一覧５３を上記フラグ変更操作に応じて更新する（ステップ１０８）。
【００６３】
図８及び図９では、冬にもかかわらず暖かい日に、オペレータがその旨を反映した冬の例外メッセージを発話させたいと考えて、冬の例外メッセージのフラグを有効に変更した例が示されている。図６と図９とを比較すると分かるように、上記フラグ変更操作により、それまで有効に設定されていた冬の通常メッセージのフラグが無効に設定変更され、代わりに冬の例外メッセージのフラグが有効に設定変更されている。また、その際、図８に示すように、「朝の挨拶」の語句を追加するために語句群Ｗの語句が編集されている。
【００６４】
ＣＰＵ１１は、以上のような処理を、いずれかの語句群に対して設定（選択）操作が入力される度に実行する。
【００６５】
次に、上記設定された語句群を用いたメッセージの作成処理について説明する。図１０は、当該メッセージ作成処理の流れを示したフローチャートである。
【００６６】
同図に示すように、ＣＰＵ１１はまず、上記スケジュール情報Ｓを参照して、現在曜日及び現在時刻に合致するメッセージの通知予定が存在するか否かを判断する（ステップ１１１）。
【００６７】
現在曜日及び現在時刻に合致する通知予定が存在する場合、記憶部１８から、それに応じたメッセージ雛型Ｍ（例えば起床後通知）を読み込む（ステップ１１２）。
【００６８】
続いてＣＰＵ１１は、読み込んだメッセージ雛型Ｍについて「有効」にフラグ設定されている語句群Ｗ（例えば冬の通常メッセージ）を特定する（ステップ１１３）。
【００６９】
続いてＣＰＵ１１は、上記特定した語句群Ｗから語句を無作為に選択し（ステップ１１４）、上記読み込んだメッセージ雛型Ｍのうち、可変語句領域を上記無作為に選択した語句に変更する（ステップ１１５）。これによりメッセージの作成が完了する。
【００７０】
そしてＣＰＵ１１は、当該作成したメッセージを上記通信部１９によりユーザ端末２００へ送信する（ステップ１１６）。ユーザ端末２００においては当該メッセージが音声として出力される。
【００７１】
ＣＰＵ１１は、以上の処理をスケジュール情報Ｓによって設定された曜日・時刻が到来する度に実行する。
【００７２】
［まとめ］
以上説明したように、本実施形態によれば、見守りシステムは、メッセージ雛型Ｍと分類情報毎の語句群Ｗを用いてメッセージを作成することで、ユーザへのメッセージを作成する際のオペレータの手間を削減しながらも柔軟にメッセージの内容を変更することができ、「つながり感」や「見守られ感」の低下を防ぐことができる。また、季節外れの陽気などイレギュラーな状況となった場合のメッセージ変更が容易となるため、メッセージの内容と実際の状況に齟齬が生じて「結局機械が喋っているに過ぎない」との印象をユーザに与えてしまうことを容易に防止でき、「つながり感」や「見守られ感」を醸成し続けることが容易となる。
【００７３】
［変形例］
本発明は上述の実施形態にのみ限定されるものではなく、本発明の要旨を逸脱しない範囲内において種々変更され得る。
【００７４】
上述の実施形態では、語句群Ｗ毎にその使用の要否（有効／無効）についてフラグを設定したが、例えば語句群一覧メニュー、語句群毎のチェックボックス、ラジオボタン等によって、メッセージの作成に用いる語句群Ｗを選択してもよい。
【００７５】
上述の実施形態では、語句群Ｗ毎にその使用の要否（有効／無効）について設定したが、例えば図４に示す「冬の通常メッセージ」と「冬の例外メッセージ」をグループ化する情報を付与して、そのグループのいずれかの語句群が無効から有効に設定が変更された場合、他の語句群を自動的に有効から無効にするよう設定を変更することとしてもよい。これにより、同時に通知されると利用者にとって違和感がある語句を同時に通知されないようにできる。
【００７６】
また図６に示す語句群の設定画面において、ユーザそれぞれを個別に指定する例を説明したが、例えば近隣地域に居住するユーザをまとめてグループ化して、グループ単位で語句群の設定をしても良い。例えば、「冬の例外メッセージ」にその地域の住民にとって有用な情報を含めると、上記「つながり感」の醸成に資することができる。
【００７７】
上述の実施形態では、語句群Ｗの分類情報として季節（時候の挨拶等）が例に挙げられた。しかし、分類情報としては、例えば月等の季節よりも細かい時期や、正月、盆、クリスマス、ゴールデンウィーク等の時期に応じたイベント、災害・緊急時、天気、気温等の分類情報に応じて語句群Ｗが用意されてもよい。分類情報として天気や気温が用いられる場合、サーバ装置１００は、ネットワーク上の天気予報情報からその日の天気や気温を自動取得することで、その日の天気や気温に応じた語句群Ｗを自動的に選択してもよい。
【００７８】
また、ユーザ端末２００が対話型ロボットである場合には、当該ロボットのキャラクター（性格）が分類情報として用いられてもよい（キャラクターごとに発話の仕方や発話内容が異なる）。
【００７９】
本願の特許請求の範囲に記載された発明のうち、「見守り方法」と記載された発明は、その各ステップを、ソフトウェアによる情報処理によりコンピュータ等の少なくとも１つの装置が自動的に行うものであり、人間がコンピュータ等の装置を用いて行うものではない。すなわち、当該「見守り方法」は、コンピュータ・ソフトウェアによる情報処理方法であって、コンピュータという計算道具を人間が操作する方法ではない。
【符号の説明】
【００８０】
１１…ＣＰＵ
１８…記憶部
１９…通信部
１００…サーバ装置
１１０…フラグ設定手段
１２０…部分変更手段
１３０…送信手段
１４０…記憶手段
１５０…入力手段
２００…ユーザ端末
Ｓ…通知予定情報
Ｍ…メッセージ雛型
Ｗ…語句群
Ｒ…可変語句領域
【図１】
2020135799.tif 000003
【図２】
2020135799.tif 000004
【図３】
2020135799.tif 000005
【図４】
2020135799.tif 000006
【図５】
2020135799.tif 000007
【図６】
2020135799.tif 000008
【図７】
2020135799.tif 000009
【図８】
2020135799.tif 000010
【図９】
2020135799.tif 000011
【図１０】
2020135799.tif 000012